(57)【要約】【課題】アルデヒド系香料の含有量を制限せず調香の自由度を上げるとともに、光による水溶性染料の退色を抑制する水性組成物及びそれを応用した液体洗浄剤組成物の提供。【解決手段】（ａ）水溶性染料、（ｂ）香料成分［以下、（ｂ）成分という］、（ｃ）酸化防止剤、及び水を含有し、（ｂ）成分中、（ｂ１）アルデヒド系香料の含有量が３質量％以上１００質量％以下である、水性組成物。【選択図】なし【特許請求の範囲】
【請求項１】
（ａ）水溶性染料［以下、（ａ）成分という］、（ｂ）香料成分［以下、（ｂ）成分という］、（ｃ）酸化防止剤［以下、（ｃ）成分という］、及び水を含有し、
（ｂ）成分中、（ｂ１）アルデヒド系香料［以下、（ｂ１）成分という］の含有量が３質量％以上１００質量％以下であり、３０℃におけるｐＨが５を超え８以下である、水性組成物。
【請求項２】
（ｃ）成分が、２，６−ジ−tert−ブチル−４−ヒドロキシトルエン、２−tert−ブチル−４−ヒドロキシアニソール及びトコフェロールから選ばれる１種以上の化合物である、請求項１記載の水性組成物。
【請求項３】
（ａ）成分が、酸性染料から選ばれる１種以上である、請求項１又は２記載の水性組成物。
【請求項４】
水性組成物中の（ｃ）成分の含有量と（ｂ１）成分の含有量との質量比（ｃ）／（ｂ１）が、０．１以上２．０以下である、請求項１〜３の何れか１項記載の水性組成物。
【請求項５】
（ｂ）成分が、（ｂ１１）芳香族系アルデヒド香料［以下、（ｂ１１）成分という］を含有し、水性組成物中の（ｃ）成分の含有量と（ｂ１）成分の含有量との質量比（ｃ）／（ｂ１１）が、０．０５以上１０以下である、請求項１〜４の何れか１項記載の水性組成物。
【請求項６】
（ａ）水溶性染料、（ｂ）香料成分［以下、（ｂ）成分という］、（ｃ）酸化防止剤［以下、（ｃ）成分という］、（ｄ）界面活性剤［以下、（ｄ）成分という］、及び水を含有し、
（ｂ）成分中、（ｂ１）アルデヒド系香料の含有量が３質量％以上１００質量％以下であり、３０℃におけるｐＨが５を超え８以下である、液体洗浄剤組成物。
【請求項７】
（ｃ）成分が、２，６−ジ−tert−ブチル−４−ヒドロキシトルエン、２−tert−ブチル−４−ヒドロキシアニソール及びトコフェロールから選ばれる１種以上の化合物である、請求項６記載の液体洗浄剤組成物。
【請求項８】
（ｄ）成分が、非イオン界面活性剤及び陽イオン界面活性剤から選ばれる１種以上である、請求項６又は７記載の液体洗浄剤組成物。
【発明の詳細な説明】
【技術分野】
【０００１】
本発明は水溶性染料、及び香料を含有する水性組成物並びに液体洗浄剤組成物に関する。
【背景技術】
【０００２】
液体洗浄剤などのハウスホールド製品には嗜好性の観点から通常香料による賦香が行われる。また審美的観点から組成物に水溶性染料を用いて着色することもしばしば行われる。しかしながら香料成分と色素を併用した場合にしばしば光による退色が起こり、その対策が研究されている。
【０００３】
特許文献１には、アルデヒド系香料を特定量含有させることで香り立ちや香りの持続性に優れると共に併用する染料の退色を抑制する技術が開示されている。
特許文献２には、特定の色素化合物、特定のアルデヒド系香料を特定量含有し、香り立ちや香りの持続性に優れると共に併用する水溶性色素の変色を酸性条件下で抑制できる水性組成物が開示されている。
特許文献３には、キサンテン染料を含有する水性液体洗浄剤組成物にエステル系香料とアルデヒド系香料を特定比率含有することで退色しにくい水性液体洗浄剤組成物の技術が開示されている。
特許文献４には、アルデヒド系香料を含有する組成物の香りの持続性を向上させる目的から特定の酸化防止剤を併用する技術が開示されている。
特許文献５には、酸素系漂白剤水溶液中で分解退色する水溶性染料、酸化防止剤及び水溶性バインダーを主成分としてなる粒状着色組成物と酸素系漂白剤を含有することで、染料の退色を抑制する漂白剤組成物が開示されている。
【先行技術文献】
【特許文献】
【０００４】
【特許文献１】特開２００７−１６１６１号公報
【特許文献２】特開２００７−１０６９２１号公報
【特許文献３】特開２００９−２８６９３８号公報
【特許文献４】特開２０１０−１５９３２５号公報
【特許文献５】特開平１−１１３４９９号公報
【発明の概要】
【発明が解決しようとする課題】
【０００５】
特許文献１〜３にはアルデヒド系香料を制限することで水性染料の退色を抑制する技術が開示されている。しかしながらアルデヒド系香料は香り立ちや残香性などで非常に重要な香り成分であり、近年香りのバリエーションが強く求められる中、香料設計においてアルデヒド系香料の含有量を制限しない技術が強く求められている。
特許文献４は香料による香りの持続性を向上させる目的で酸化防止剤を用いる技術であり、染料を用いた場合の課題を想起させるものではない。特許文献５もアルデヒド系香料と水性染料を併用した場合の課題を想起させるものではない。
【０００６】
本発明は、アルデヒド系香料の含有量を制限せず調香の自由度を上げるとともに、光による水溶性染料の退色を抑制する水性組成物及びそれを応用した液体洗浄剤組成物を提供することを目的とする。
【課題を解決するための手段】
【０００７】
本発明は、（ａ）水溶性染料［以下、（ａ）成分という］、（ｂ）香料成分［以下、（ｂ）成分という］、（ｃ）酸化防止剤［以下、（ｃ）成分という］、及び水を含有し、
（ｂ）成分中、（ｂ１）アルデヒド系香料［以下、（ｂ１）成分という］の含有量が３質量％以上１００質量％以下であり、３０℃におけるｐＨが５を超え８以下である、水性組成物に関する。
【０００８】
また本発明は、（ａ）水溶性染料［以下、（ａ）成分という］、（ｂ）香料成分［以下、（ｂ）成分という］、（ｃ）酸化防止剤［以下、（ｃ）成分という］、（ｄ）界面活性剤［以下、（ｄ）成分という］、及び水を含有し、
（ｂ）成分中、（ｂ１）アルデヒド系香料［以下、（ｂ１）成分という］の含有量が３質量％以上１００質量％以下であり、３０℃におけるｐＨが５を超え８以下である液体洗浄剤組成物に関する。
【発明の効果】
【０００９】
本発明によれば、アルデヒド系香料の含有量を制限せず調香の自由度を上げるとともに、光による水溶性染料の退色を抑制する水性組成物及びそれを応用した液体洗浄剤組成物が提供される。
【発明を実施するための形態】
【００１０】
〔水性組成物〕
＜（ａ）成分＞
本発明の水性組成物は、（ａ）成分として、水溶性染料を含有する。
（ａ）成分の水溶性染料としては、例えば染料便覧（有機合成化学協会編，昭和４５年７月２０日発行，丸善（株））、染料ノート第２２版（（株）色染社）、法定染料ハンドブック（日本化粧品工業連合会編、１９８８年１１月２８日発行、（株）薬事日報社）などに記載されているものから、水溶性の染料を選ぶことができる。（ａ）成分としては、酸性染料、直接染料、反応性染料、及び食品用色素から選ばれる１種以上が好ましく、酸性染料及び食品用色素から選ばれる１種以上がより好ましく、酸性染料から選ばれる１種以上が更に好ましい。また（ａ）成分としては、分子中に親水性基を有するものが好ましく、分子内にアミノ基もしくはスルホニル基又はアミノ基とスルホニル基の両方を有する水溶性の青色系染料、緑色系染料、赤色系染料、紫色系染料、及び黄色系染料から選ばれる１種以上の化合物を挙げることができる。なお、ここで用いたアミノ基とは、フタロシアニン系のような環状のアミノ基を意味するものではない。このような（ａ）成分の水溶性染料としては、例えば、下記の各染料を挙げることができる。
【００１１】
（青色系染料）
C.I.Direct Blue１、C.I.DirectBlue２、C.I.Direct Blue６、C.I.DirectBlue１５、C.I.Direct Blue４１、C.I.DirectBlue８６、C.I.Acid Blue１、C.I.AcidBlue７、C.I.Acid Blue９、C.I.AcidBlue１５、C.I.Acid Blue２２、C.I.AcidBlue２９、C.I.Acid Blue６２、C.I.AcidBlue７４、C.I.Acid Blue８３、C.I.AcidBlue９０、C.I.Acid Blue９３、C.I.AcidBlue１００、C.I.Acid Blue１０３、C.I.AcidBlue１０４、C.I.Acid Blue１１２、C.I.AcidBlue１１７、C.I.Acid Blue１３８、C.I.FoodBlue２、C.I.Reactive Blue１３、C.I.ReactiveBlue４９、C.I.Reactive Blue７８、C.I.BasicBlue７５、C.I.Basic Blue１２９。
【００１２】
（緑色系染料）
C.I.Direct green１、C.I.Acidgreen５、C.I.Direct green６、C.I.Directgreen２８、C.I.Acid green３、C.I.Acidgreen９、C.I.Acid green１６、C.I.Acidgreen２０、C.I.Acid green２８、C.I.Foodgreen３。
【００１３】
（赤色系染料）
C.I.Direct Red２、C.I.DirectRed１３、C.I.Direct Red１７、C.I.DirectRed２８、C.I.Direct Red３３、C.I.DirectRed４６、C.I.Direct Red７５、C.I.DirectRed７９、C.I.Acid Red１８、C.I.AcidRed２７、C.I.Acid Red３２、C.I.AcidRed３３、C.I.Acid Red３７、C.I.AcidRed４２、C.I.Acid Red５１、C.I.AcidRed５２、C.I.Acid Red８７、C.I.AcidRed９２、C.I.Acid Red９４、C.I.AcidRed１３８。
【００１４】
（紫色系染料）
C.I.Direct Violet１、C.I.Acid Violet１１、C.I.Acid Violet１５、C.I.Acid Violet４１、C.I.Acid Violet４９。
【００１５】
（黄色系染料）
C.I.Acid Yellow３、C.I.AcidYellow１７、C.I.Acid Yellow２３、C.I.AcidYellow３６、C.I.Reactive Yellow２、C.I.ReactiveYellow１０２、C.I.Reactive Yellow１８、C.I.Reactive Yellow８５、C.I.Basic Yellow２８、C.I.Basic Yellow３６、C.I.BasicYellow５１、C.I.Basic Yellow６７、C.I.Food Yellow３。
【００１６】
本発明の（ａ）成分としては、トリフェニルメタン構造、アゾ構造、キサンテン構造、キノリン構造、フタロシアニン構造、及びアントラキノン構造を有する染料から選ばれる１種以上が好ましく、キノリン構造、フタロシアニン構造、アゾ構造、及びキサンテン構造を有する染料から選ばれる１種以上がより好ましい。
【００１７】
好適な染料としてはキノリン構造を有するC.I.Acid Yellow３、トリフェニルメタン構造を有するC.I.Acid Blue９、C.I.Acid Blue８３、C.I.Acid Blue９０、C.I.Acid Blue９３、C.I.Acid Blue１００、C.I.Acid Blue１０３、C.I.Acid Blue１０４、C.I.Acid green３、C.I.Acid green５、C.I.Acid green９、C.I.Food green３、C.I.Food Blue２、アゾ構造を有するC.I.Direct Red３３、C.I.Acid Red３３、C.I.Food Red１、フタロシアニン構造を有するC.I.Direct Blue８６、及びキサンテン構造を有するC.I.Acid Red５２から選ばれる１種以上の染料を挙げることができる。
【００１８】
＜（ｂ）成分＞
本発明の水性組成物は、（ｂ）成分として、香料成分を含有する。（ｂ）成分は、単独の香料化合物を用いてもよく、複数の香料化合物を特定の比率で含有する香料組成物として用いることもできる。香料成分である香料化合物としては、「香料の化学」（赤星亮一著、日本化学会編産業化学シリーズ昭和５８年９月１６日発行）や「増補新版  合成香料  化学と商品知識」（合成香料編集委員会編集、化学工業日報社、2016年12月20日発行）や「香料と調香の基礎知識」（中島基貴著、産業図書（株）、１９９５年６月２１日発行）、“Perfume and Flavor Chemicals”（STEFFENARCTANDER著、MONTCLAIR, N. J.、1969年）に記載のものを用いることができる。
【００１９】
本発明の（ｂ）成分である香料成分は、染料の退色性に影響を及ぼしやすい（ｂ１）成分のアルデヒド系香料を含有する。
アルデヒド系香料としては、脂肪族アルデヒド香料、テルペン系アルデヒド香料、芳香族系アルデヒド香料等が挙げられ、これらは１種又は２種以上を用いることができる。本発明の（ｂ）成分である香料成分は、これらのアルデヒド系香料の中でも、染料の退色性に最も影響を及ぼしやすい芳香族系アルデヒド香料（以下、（ｂ１１）成分ともいう）を含有することができる。
【００２０】
（ｂ１）成分のアルデヒド系香料は、具体的には、ヘキシルアルデヒド、ヘプチルアルデヒド、オクチルアルデヒド、ノニルアルデヒド、デシルアルデヒド、ウンデシルアルデヒド、ドデシルアルデヒド、トリデシルアルデヒド、トリメチルヘキシルアルデヒド、メチルオクチルアセトアルデヒド、メチルノニルアセトアルデヒド、トランス−２−ヘキセナール、シス−４−ヘプテナール、２，６−ノナジエノール、シス−４−デセナール、ウンデシレンアルデヒド、トランス−２−ドデセナール、トリメチルウンデセナール、２，６，１０−トリメチル−５，９−ウンデカジエナール、シトラール、シトロネラール、ヒドロキシシトロネラール、ペリラアルデヒド、メトキシジヒドロシトロネラール、シトロネリルオキシアセトアルデヒド、イソシクロシトラール、センテナール、ベルンアルデヒド、デュピカール、マセアール、ボロナール、セトナール、フェニルアセトアルデヒド、フェニルプロピルアルデヒド、シンナミックアルデヒド、α−アミルシンナミックアルデヒド、α−ヘキシルシンナミックアルデヒド、ヒドラトロピックアルデヒド、アニスアルデヒド、ｐ−メチルフェニルアセトアルデヒド、クミンアルデヒド、シクラメンアルデヒド、ｐ−エチル−２，２−ジメチルヒドロシンナムアルデヒド、２−メチル−３−（ｐ−メトキシフェニル）−プロピルアルデヒド、ｐ−tert−ブチル−α−メチルヒドロシンナミックアルデヒド、サリチルアルデヒド、ヘリオトロピン、ヘリオナール、バニリン、エチルバニリン、メチルバニリン、１０−ウンデセナール、１，２，３，４，５，６，７，８−オクタヒドロ−８，８−ジメチル−２−ナフトアルデヒド、１−メチル−４−（４−メチル−３−ペンテニル）−３−シクロヘキセン−１−カルボキシアルデヒド（マイラックアルデヒド）、２，４−ジメチル−３−シクロヘキセン−１−カルボキシアルデヒド、３，５−ジメチル−３−シクロヘキセン−１−カルボキシアルデヒド、２，４−ジメチル−３−シクロヘキセン−１−カルボキシアルデヒドと３，５−ジメチル−３−シクロヘキセン−１−カルボキシアルデヒドの混合物（商品名＝リグストラールまたはトリプラール）、ベンズアルデヒド、３−（４−tert−ブチルフェニル)ブタナール（商品名＝リリアール）、４−（４−ヒドロキシ−４−メチルペンチル）−３−シクロヘキセン−１−カルボキシアルデヒドと３−（４−ヒドロキシ−４−メチルペンチル）−３−シクロヘキセン−１−カルボキシアルデヒドの混合物（商品名＝リラル／アイエフエフ社：登録商標）、３，６（４，６）−ジメチル−３−シクロヘキセン−１カルボアルデヒド（商品名＝シクロベルタール／花王：登録商標）、フローラルオゾン、２，６，１０−トリメチル−９−ウンデセナールが挙げられ、これらは１種又は２種以上を用いることができる。
【００２１】
本発明の効果においては、これらの中でも（ｂ１１）成分の芳香族系アルデヒド香料の影響が大きく、特にヘリオトロピン、リリアール（商品名）、リラル（登録商標）、トリプラール（商品名）、ベンズアルデヒド、シンナミックアルデヒド、α−ヘキシルシンナミックアルデヒド、α−アミルシンナミックアルデヒド及びクミンアルデヒドから選ばれる１種以上の芳香族系アルデヒド香料が染料の退色性に影響を及ぼしやすい。しかしながら、本発明の水性組成物は、これらの芳香族系アルデヒドを（ｂ）成分の香料成分として含有する場合でも、本発明の効果を享受することができる。
【００２２】
本発明の（ｂ）成分である香料成分は、（ｂ１）成分以外の香料成分［以下、（ｂ２）成分という］を含有してもよい。（ｂ２）成分としては、炭化水素系香料、アルコール系香料、エーテル系香料、ケトン系香料、エステル系香料、ラクトン系香料、環状ケトン系香料、及び含窒素系香料などの公知のものを挙げることができ、これらは１種又は２種以上を用いることができる。
【００２３】
＜（ｃ）成分＞
本発明の水性組成物は、（ｃ）成分として、酸化防止剤を含有する。
（ｃ）成分の酸化防止剤としては、ブチルヒドロキシトルエン、ブチルヒドロキシアニソール、トコフェロール、Ｌ−アスコルビン酸又はその塩、エリソルビン酸又はその塩、クエン酸イソプロピル、ノルジヒドログヤレチック酸、没食子酸プロピル、２、２’−メチレン−ビス−（４−メチル−６−tert−ブチルフェノール）、ジラウリルチオジプロピオネート、及びトリフェニルフォスファイトから選ばれる１種以上の化合物が挙げられ、配合安定性の観点から、２，６−ジ−tert−ブチル−４−ヒドロキシトルエン、２−tert−ブチル−４−ヒドロキシアニソール及びトコフェロールから選ばれる１種以上の化合物が好ましく、２，６−ジ−tert−ブチル−４−ヒドロキシトルエン、及びトコフェロールから選ばれる１種以上の化合物がより好ましく、２，６−ジ−tert−ブチル−４−ヒドロキシトルエンが更に好ましい。
【００２４】
＜組成等＞
特許文献４には、酸性組成物において生じる香料の着色や変色に酸化防止剤を用いる技術が開示され、特許文献５には、過酸化物が存在する粒子状の染料の退色を抑制するために酸化防止剤を用いる技術が開示されている。一般的には香料成分は中性では安定であり、また染料も過酸化物が存在しない場合には比較的安定である。そのため、従来技術である、中性条件下で、（ｂ１）成分を含む（ｂ）成分を含有し（ａ）成分を含有しない組成物、又は（ａ）成分を含有し（ｂ）成分を含有しない組成物は、いずれも本発明の課題である光による水溶性染料の退色による液色の変化はなく本発明の課題は生じない。しかしながら、（ａ）成分と（ｂ１）成分を含む（ｂ）成分を含有する組成物の場合、光による水溶性染料の退色によって液色の著しい変化が生じる。これは（ｂ１）成分であるアルデヒド系香料が何らかの作用をしていることが考えられる。そのため、本発明以前の水性組成物では、アルデヒド系香料の含有量を本発明の課題が生じない程度にしか配合することができなかった（特許文献１）。本発明の（ａ）〜（ｃ）成分を含有する水性組成物において、中性条件下で（ｃ）成分が液色の著しい変化を抑制することができる作用機序は不明であるが、（ｃ）成分がアルデヒド系香料と水溶性染料との反応を妨げているものと推察される。
【００２５】
また（ａ）成分である水性染料としては、本発明の水性組成物に好ましい色彩を付与できる目的からキノリン構造を有するC.I.Acid Yellow３、トリフェニルメタン構造を有するC.I.AcidBlue９、C.I.Acid Blue８３、C.I.AcidBlue９０、C.I.Acid Blue９３、C.I.AcidBlue１００、C.I.Acid Blue１０３、C.I.AcidBlue１０４、C.I.Acid green３、C.I.Acidgreen５、C.I.Acid green９、C.I.Foodgreen３、C.I.Food Blue２、アゾ構造を有するC.I.DirectRed３３、C.I.Acid Red３３、C.I.Food Red１、フタロシアニン構造を有するC.I.Direct Blue８６、及びキサンテン構造を有するC.I.Acid Red５２から選ばれる１種以上の染料を用いることが好ましい。これらの染料は特にアルデヒド系香料と併用すると光による染料の退色が顕著に引き起こされるが、本発明の水性組成物では光による水溶性染料の退色を抑制することができるため、これらの染料を（ａ）成分として用いることができる。
特に（ａ）成分として、C.I.Direct Blue８６、C.I.Acid Yellow３、C.I.Direct Red３３、C.I.Food Blue２、C.I.Food Red１、C.I.Acid Red５２を用いる場合、アルデヒド系香料との作用が顕著に起こるため注意を要するが、本発明の水性組成物では光による水溶性染料の退色を抑制することができるため、これらの染料を（ａ）成分として用いることができる。
【００２６】
本発明の水性組成物は、（ａ）成分を、組成物の審美的観点から、好ましくは０．００００１質量％以上、より好ましくは０．００００５質量％以上、更に好ましくは０．０００１質量％以上、より更に好ましくは０．００１質量％以上、そして、好ましくは０．０２質量％以下、より好ましくは０．０１５質量％以下、更に好ましくは０．０１質量％以下含有する。
【００２７】
本発明の水性組成物は、（ｂ）成分を、香りの強度と嗜好性の観点から、好ましくは０．０１質量％以上、より好ましくは０．０５質量％以上、更に好ましくは０．１質量％以上、そして、好ましくは５．０質量％以下、より好ましくは３．０質量％以下、更に好ましくは１．０質量％以下含有する。
【００２８】
本発明の水性組成物において、（ｂ）成分中、（ｂ１）成分の含有量は、香りの自由度の観点から、３質量％以上、好ましくは３．５質量％以上、より好ましくは４質量％以上、そして、１００質量％以下、好ましくは４０質量％以下、より好ましくは２０質量％以下である。
【００２９】
本発明の水性組成物において、（ｂ）成分中、（ｂ１１）成分の含有量は、香りの自由度と退色性の観点から、好ましくは０．０１質量％以上、より好ましくは０．１質量％以上、更に好ましくは０．５質量％以上、より更に好ましくは１．０質量％以上、そして、好ましくは５０質量％以下、より好ましくは３０質量％以下、更に好ましくは２０質量％以下である。
【００３０】
本発明の水性組成物において、（ｂ）成分中、（ｂ２）成分の含有量は、好ましくは０質量％以上、より好ましくは６０質量％以上、更に好ましくは８０質量％以上、そして、好ましくは９７質量％以下、より好ましくは９６．５質量％以下、更に好ましくは９６質量％以下である。
【００３１】
本発明の水性組成物は、（ｃ）成分を、組成物の退色抑制の観点から、好ましくは０．００１質量％以上、より好ましくは０．０１質量％以上、更に好ましくは０．０１５質量％以上、そして、配合安定性の観点から、好ましくは０．５質量％以下、より好ましくは０．１質量％以下、更に好ましくは０．０５質量％以下含有する。
【００３２】
本発明の水性組成物において、水性組成物中の（ｃ）成分の含有量と（ｂ１）成分の含有量との質量比（ｃ）／（ｂ１）は、組成物の退色抑制の観点から、好ましくは０．１以上、より好ましくは０．３以上、更に好ましくは０．５以上、そして、好ましくは２．０以下、より好ましくは１．５以下、更に好ましくは１．２以下である。
【００３３】
本発明の水性組成物において、水性組成物中の（ｃ）成分の含有量と（ｂ１１）成分の含有量との質量比（ｃ）／（ｂ１１）は、組成物の退色抑制の観点から、好ましくは０．０５以上、より好ましくは０．１以上、更に好ましくは０．５以上、そして、好ましくは１０以下、より好ましくは５．０以下、更に好ましくは３．０以下である。
【００３４】
本発明の水性組成物は、水を含有する。本発明の水性組成物は、水を、好ましくは８５質量％以上、より好ましくは９０質量％以上、更に好ましくは９５質量％以上、より更に好ましくは９６質量％以上、そして、好ましくは９９質量％以下、より好ましくは９８質量％以下含有する。水は、イオン交換水、滅菌イオン交換水等を使用することが好ましい。
【００３５】
本発明の水性組成物において、３０℃におけるｐＨは、洗浄性能及び香料の配合安定性と香り選択の自由度の観点から、５．０を超え、好ましくは５．５以上、そして、８．０以下、好ましくは７．０以下である。このようなｐＨへ調整するｐＨ調整剤としては、硫酸、塩酸、リン酸、から選ばれる無機酸、クエン酸、りんご酸、マレイン酸、フマール酸、コハク酸、乳酸、グリコール酸から選ばれる有機酸、水酸化ナトリウム、水酸化カリウム、水酸化マグネシウム、炭酸ナトリウム、炭酸カリウムなどの無機アルカリ剤を用いて行われる。本発明では、洗浄剤組成物に緩衝能を持たせることが洗浄力持続性の点から好ましく、上記有機酸、好ましくはクエン酸、及び無機アルカリ剤を併用することが好適である。
【００３６】
〔液体洗浄剤組成物〕
本発明の水性組成物は、液体洗浄剤組成物に応用することが好ましく、（ｄ）成分として、界面活性剤を含有する液体洗浄剤組成物に応用することが好ましい。
すなわち、本発明の液体洗浄剤組成物は、（ａ）成分、（ｂ）成分、（ｃ）成分、（ｄ）成分、及び水を含有し、
（ｂ）成分中、（ｂ１）成分の含有量が３質量％以上１００質量％以下であり、３０℃におけるｐＨが５を超え８以下である、液体洗浄剤組成物である。
【００３７】
本発明の液体洗浄剤組成物は、本発明の水性組成物で上記した事項を適宜適用することができる。また本発明の液体洗浄剤組成物における（ａ）成分、（ｂ）成分、（ｃ）成分、並びに（ｂ）成分中に含まれる（ｂ１）成分、及び（ｂ１１）成分は、本発明の水性組成物にて上記したものと同じである。
【００３８】
＜（ｄ）成分＞
本発明の液体洗浄剤組成物は、（ｄ）成分として界面活性剤を含有する。
（ｄ）成分の界面活性剤としては、非イオン界面活性剤、陽イオン界面活性剤、陰イオン界面活性剤、及び両性界面活性剤から選ばれる１種以上が挙げられる。
【００３９】
非イオン界面活性剤としては、炭素数８以上１８以下のアルキル基を有するポリオキシアルキレンアルキルエーテル、炭素数８以上１８以下のアルケニル基を有するポリオキシアルキレンアルケニルエーテル、炭素数８以上１８以下の脂肪酸基を有するポリオキシアルキレンソルビタン脂肪酸エステル、炭素数８以上１８以下のアルキル基を有するアルキルグリコシド、炭素数８以上１８以下のアルキル基を有するアルキルポリグリコシド、炭素数８以上１８以下の脂肪酸基を有するショ糖脂肪酸エステル、炭素数８以上１８以下のアルキル基を有するアルキルポリグリセリルエーテル等が挙げられる。
【００４０】
非イオン界面活性剤としては、洗浄性能の観点から、炭素数８以上１８以下の直鎖又は分岐鎖のアルキル基であり、糖の平均縮合度が好ましくは１以上３以下のアルキルグリコシドが好ましく、下記一般式（ｄ１）で表されるアルキルグリコシドがより好ましい。
Ｒ１ｄ（ＯＲ２ｄ）ｘＧｙ                  （ｄ１）
〔式中、Ｒ１ｄは炭素数８以上１８以下の直鎖又は分岐鎖のアルキル基を示し、Ｒ２ｄは炭素数２以上４以下のアルキレン基を示し、Ｇは炭素数５又は６の糖に由来する残基を示し、ｘはその平均値が０以上５以下となる数を示し、ｙはその平均値が１以上３以下となる数を示す。〕
【００４１】
上記一般式（ｄ１）において、Ｒ１ｄは、洗浄性能の観点から、炭素数８以上、好ましくは１０以上、そして、１８以下、好ましくは１６以下の直鎖又は分岐鎖のアルキル基が好ましい。また、Ｇで示される炭素数５又は６の糖に由来する残基は、使用される単糖類もしくは２糖類以上の糖によってその構造が決定される。Ｇとしては、単糖類ではグルコース、ガラクトース、キシロース、マンノース、リキソース、アラビノース、フルクトース又はこれらの混合物等に由来する残基が挙げられ、２糖類以上ではマルトース、キシロビオース、イソマルトース、セロビオース、ゲンチビオース、ラクトース、スクロース、ニゲロース、ツラノース、ラフィノース、ゲンチアノース、メンジトース又はこれらの混合物等に由来する残基が挙げられる。これらのうち好ましい原料は、洗浄性能、及びこれらの入手性及び低コストの点から、単糖類ではグルコース及びフルクトースであり、２糖類以上ではマルトース及びスクロースである。
【００４２】
また、上記一般式（ｄ１）中のｘは、その平均値が、好ましくは０以上、そして、好ましくは５以下、より好ましくは１以下であり、また０であってもよい。
上記一般式（ｄ１）中のｙは、その平均値が１以上、好ましくは１以上、そして、３以下、好ましくは２以下、より好ましくは１．５以下である。このｙの値（糖縮合度）は1Ｈ−ＮＭＲにより測定する。具体的な測定方法としては、特開平８−５３６９６号公報第６頁第１０欄２６行目〜７頁第１１欄１５行目を参照する。
【００４３】
陽イオン界面活性剤としては、第４級アンモニウム塩型陽イオン界面活性剤が挙げられる。第４級アンモニウム塩型陽イオン界面活性剤としては、窒素原子に結合する基のうち、１つ又は２つが炭素数６以上１８以下の炭化水素基であり、残りが炭素数１以上３以下のアルキル基、炭素数１以上３以下のヒドロキシアルキル基及びアリールアルキル基（ベンジル基等）からなる群から選ばれる基である４級アンモニウム塩型陽イオン界面活性剤が挙げられる。
【００４４】
陽イオン界面活性剤としては、下記一般式（ｄ２）で表される第４級アンモニウム塩型陽イオン界面活性剤が好ましい。
【００４５】
【化１】
2019182935.tif 000002
【００４６】
〔式中、Ｒ３ｄは炭素数６以上１８以下の炭化水素基を表す。Ｒ４ｄ、Ｒ５ｄはそれぞれ独立に炭素数１以上３以下のアルキル基を表す。Ｒ６ｄは炭素数１以上３以下のアルキレン基を表す。Ｚ−は陰イオン基を表す。〕
【００４７】
一般式（ｄ２）中、Ｒ３ｄは、炭素数６以上、好ましくは１０以上、より好ましくは１２以上、そして、１８以下、好ましくは１６以下の炭化水素基、好ましくはアルキル基又はアルケニル基、より好ましくはアルキル基である。
また一般式（ｄ２）中、Ｒ４ｄ、Ｒ５ｄはそれぞれ独立に炭素数１以上３以下のアルキル基であり、炭素数１以上２以下のアルキル基が好ましく、メチル基がより好ましい。
また一般式（ｄ２）中、Ｒ６ｄは炭素数１以上３以下のアルキレン基であり、炭素数１以上２以下のアルキレン基が好ましく、メチレン基がより好ましい。
また一般式（ｄ２）中のＺ−としては、塩化物イオン等のハロゲンイオンが好ましい。Ｚ−としては塩化物イオン（Ｃｌ−）がより好ましい。
【００４８】
陰イオン界面活性剤としては、炭化水素基を１つ以上と、スルホン酸基、硫酸エステル基及びカルボン酸基からなる群から選ばれる基の１つ以上とを有する陰イオン界面活性剤が挙げられる。陰イオン界面活性剤としては、アルキル（炭素数８以上２２以下）又はアルケニル（炭素数８以上２２以下）ベンゼンスルホン酸又はその塩、ポリオキシアルキレンアルキル（炭素数８以上２２以下）又はアルケニル（炭素数８以上２２以下）エーテル硫酸エステル又はその塩、アルキル（炭素数８以上２２以下）又はアルケニル（炭素数８以上２２以下）硫酸エステル又はその塩、及び脂肪酸（炭素数８以上２２以下）又はその塩等が挙げられる。
【００４９】
両性界面活性剤としては、アミンオキサイド、スルホベタイン及びカルボベタインから選ばれる１種以上の両性界面活性剤が挙げられ、より詳細には、アルキル（炭素数８以上２２以下）アミドプロピル−Ｎ，Ｎ−ジアルキル（１つのアルキル基の炭素数が１以上３以下）酢酸ベタイン、アルキル（炭素数８以上２２以下）アミドプロピル−Ｎ，Ｎ−ジアルキル（１つのアルキル基の炭素数が１以上３以下）−２−ヒドロキシプロピルスルホベタイン、及びアルキル（炭素数８以上２２以下）アミドプロピル−Ｎ，Ｎ−ジアルキル（１つのアルキル基の炭素数が１以上３以下）−プロピルスルホベタイン、アルキル（炭素数８以上２２以下）ジアルキル（１つのアルキル基の炭素数が１以上３以下）アミンオキサイド、及び脂肪酸（炭素数８以上２２以下）アミドプロピルジアルキル（１つのアルキル基の炭素数が１以上３以下）アミンオキサイドから選ばれる１種以上が挙げられる。
【００５０】
（ｄ）成分は、洗浄性能の観点から、非イオン界面活性剤及び陽イオン界面活性剤から選ばれる１種以上であることが好ましく、一般式（ｄ１）で表されるアルキルグリコシド及び一般式（ｄ２）で表される第４級アンモニウム塩型陽イオン界面活性剤から選ばれる１種以上であることがより好ましく、一般式（ｄ１）で表されるアルキルグリコシド及び一般式（ｄ２）で表される第４級アンモニウム塩型陽イオン界面活性剤を併用することが更に好ましい。
【００５１】
＜組成等＞
本発明の液体洗浄剤組成物は、（ａ）成分を、組成物の審美的観点から、好ましくは０．００００１質量％以上、より好ましくは０．００００５質量％以上、更に好ましくは０．０００１質量％以上、より更に好ましくは０．００１質量％以上、そして、好ましくは０．０２質量％以下、より好ましくは０．０１５質量％以下、更に好ましくは０．０１質量％以下含有する。
【００５２】
本発明の液体洗浄剤組成物は、（ｂ）成分を、香りの強度と嗜好性の観点から、好ましくは０．０１質量％以上、より好ましくは０．０５質量％以上、更に好ましくは０．１質量％以上、そして、好ましくは５．０質量％以下、より好ましくは３．０質量％以下、更に好ましくは１．０質量％以下含有する。
【００５３】
本発明の液体洗浄剤組成物において、（ｂ）成分の香料組成物中、（ｂ１）成分の含有量は、香りの自由度の観点から、３質量％以上、好ましくは３．５質量％以上、より好ましくは４質量％以上、そして、１００質量％以下、好ましくは４０質量％以下、より好ましくは２０質量％以下である。
【００５４】
本発明の液体洗浄剤組成物において、（ｂ）成分の香料組成物中、（ｂ１１）成分の含有量は、香りの自由度と退色性の観点から、好ましくは０．０１質量％以上、より好ましくは０．１質量％以上、更に好ましくは０．５質量％以上、より更に好ましくは１．０質量％以上、そして、好ましくは５０質量％以下、より好ましくは３０質量％以下、更に好ましくは２０質量％以下である。
【００５５】
本発明の液体洗浄剤組成物において、（ｂ）成分の香料組成物中、（ｂ２）成分の含有量は、好ましくは０質量％以上、より好ましくは６０質量％以上、更に好ましくは８０質量％以上、そして、好ましくは９７質量％以下、より好ましくは９６．５質量％以下、更に好ましくは９６質量％以下である。
【００５６】
本発明の液体洗浄剤組成物は、（ｃ）成分を、組成物の退色抑制の観点から、好ましくは０．００１質量％以上、より好ましくは０．０１質量％以上、更に好ましくは０．０１５質量％以上、そして、配合安定性の観点から、好ましくは０．５質量％以下、より好ましくは０．１質量％以下、更に好ましくは０．０５質量％以下含有する。
【００５７】
本発明の液体洗浄剤組成物において、液体洗浄剤組成物中の（ｃ）成分の含有量と（ｂ１）成分の含有量との質量比（ｃ）／（ｂ１）は、組成物の退色抑制の観点から、好ましくは０．１以上、より好ましくは０．３以上、更に好ましくは０．５以上、そして、好ましくは２．０以下、より好ましくは１．５以下、更に好ましくは１．２以下である。
【００５８】
本発明の液体洗浄剤組成物において、液体洗浄剤組成物中の（ｃ）成分の含有量と（ｂ１１）成分の含有量との質量比（ｃ）／（ｂ１１）は、組成物の褪色抑制の観点から、好ましくは０．０５以上、より好ましくは０．１以上、更に好ましくは０．５以上、そして、好ましくは１０以下、より好ましくは５．０以下、更に好ましくは３．０以下である。
【００５９】
本発明の液体洗浄剤組成物は、（ｄ）成分を、洗浄性能の観点から、好ましくは０．５質量％以上、より好ましくは１．０質量％以上、更に好ましくは１．５質量％以上、そして、好ましくは２０質量％以下、より好ましくは１０質量％以下、更に好ましくは４質量％以下含有する。
【００６０】
本発明の液体洗浄剤組成物が、（ｄ）成分として、非イオン界面活性剤と陽イオン界面活性剤を含有する場合、液体洗浄剤組成物中の非イオン界面活性剤の含有量と陽イオン界面活性剤の含有量との質量比（非イオン界面活性剤／陽イオン界面活性剤）は、洗浄性能の観点から、好ましくは１以上、より好ましくは１．５以上、更に好ましくは２以上、そして、好ましくは２０以下、より好ましくは１０以下、更に好ましくは５以下である。
【００６１】
本発明の液体洗浄剤組成物は、配合安定性の観点から、（ｅ）成分として、溶剤（但し、（ｄ）成分を除く）を含有してもよい。溶剤としては、エタノール、イソプロピルアルコール、エチレングリコール、プロピレングリコール、ジエチレングリコール、ジプロピレングリコール、グリセリン、イソプレングリコール、エチレングリコールモノアルキル（炭素数４以上８以下である）エーテル、ジエチレングリコールモノアルキル（炭素数４以上８以下である）エーテル、プロピレングリコールモノメチルエーテル、プロピレングリコールモノエチルエーテル、プロピレングリコールモノプロピルエーテル、プロピレングリコールモノブチルエーテル、ジプロピレングリコールアルキル（炭素数１以上４以下）エーテル、ポリオキシエチレン（エチレンオキサイド平均付加モル数１以上５以下）フェニルエーテル及びアルキル基の炭素数が３以上８以下のモノアルキルグリセリルエーテルから選ばれる１種以上が挙げられる。
本発明の液体洗浄剤組成物は、組成物の配合安定性以外に防腐効果を付与する目的から、殺菌効果のある溶剤を用いるのが好適である。（ｅ）成分は、ポリオキシエチレン（エチレンオキサイド平均付加モル数１以上５以下）モノフェニルエーテルが好ましく、ジエチレングリコールモノフェニルエーテル又はフェノキシエタノールが特に好ましい。
【００６２】
本発明の液体洗浄剤組成物は、（ｅ）成分を含有する場合、（ｅ）成分を、配合安定性の観点から、好ましくは０．０１質量％以上、より好ましくは０．２質量％以上、更に好ましくは０．５質量％以上、そして、好ましくは１０質量％以下、より好ましくは５．０質量％以下、更に好ましくは１．０質量％以下含有する。
【００６３】
本発明の液体洗浄剤組成物は、水を含有する。本発明の液体洗浄剤組成物は、水を、好ましくは８５質量％以上、より好ましくは９０質量％以上、更に好ましくは９５質量％以上、より更に好ましくは９６質量％以上、そして、好ましくは９９質量％以下、より好ましくは９８質量％以下含有する。水は、イオン交換水、滅菌イオン交換水等を使用することが好ましい。
【００６４】
本発明の液体洗浄剤組成物において、３０℃におけるｐＨは、洗浄性能及び香料の配合安定性と香り選択の自由度の観点から、５．０を超え、好ましくは５．５以上、そして、８．０以下、好ましくは７．０以下である。このようなｐＨへ調整するｐＨ調整剤としては、硫酸、塩酸、リン酸、から選ばれる無機酸、クエン酸、りんご酸、マレイン酸、フマール酸、コハク酸、乳酸、グリコール酸から選ばれる有機酸、水酸化ナトリウム、水酸化カリウム、水酸化マグネシウム、炭酸ナトリウム、炭酸カリウムなどの無機アルカリ剤を用いて行われる。本発明では、洗浄剤組成物に緩衝能を持たせることが洗浄力持続性の点から好ましく、上記有機酸、好ましくはクエン酸、及び無機アルカリ剤を併用することが好適である。
【００６５】
本発明の液体洗浄剤組成物は、製品の付加価値を増大させるために、金属封鎖剤、防腐剤、ハイドロトロープ剤等を任意に配合することができる（但し、前記（ａ）〜（ｅ）成分を除く）。
【００６６】
本発明の液体洗浄剤組成物は、硬質表面用、衣料用、身体用等として用いることができ、好適には硬質表面用、特に床用、浴室用、トイレ用、食器洗い用、台所周り用として用いることができる。
【００６７】
本発明の水性組成物及び液体洗浄剤組成物は、アルデヒド系香料の含有量を制限しなくとも、光による水溶性染料の退色を抑制することができる。そのため、本発明の水性組成物及び液体洗浄剤組成物は、これら組成物を収容する容器の透明度の自由度を上げることができる。
すなわち、本発明は、上記水性組成物を、透明又は半透明の材料からなる前記組成物の収容部を有する容器に充填してなる物品を提供する。
また本発明は、上記液体洗浄剤組成物を、透明又は半透明の材料からなる前記組成物の収容部を有する容器に充填してなる物品を提供する。
【００６８】
本発明でいう容器について、透明又は半透明とは、４５０ｎｍ〜７００ｎｍにおける光透過率が、いずれの波長においても５０％以上、より好ましくは７０％以上、更に好ましくは８０％以上を意味する。従って、本発明では、容器における収容部の４５０〜７００ｎｍにおける光透過率が、いずれの波長においても５０％以上、より好ましくは７０％以上、更に好ましくは８０％以上、つまり４５０〜７００ｎｍにおける最小光透過率が好ましくは５０％以上、より好ましくは７０％以上、更に好ましくは８０％以上である。なお、容器の収容部の光透過率は、ＵＶ−３１００ＰＣ（島津製作所製）の様な市販の分光光度計を用いて測定できる。通常は、容器の収容部から適当な大きさの試験片を切り出して光透過率の測定に用いる。
【００６９】
この様な光を通し易い透明容器は、ポリエチレン、ポリプロピレン、ポリエチレンテレフタレートなどの合成樹脂を用いた中空成形体として容易に調製できる。本発明では、それらの中でも容器の透明化度と強度の両立の点からポリエチレンまたはポリエチレンテレフタレートを使用することが好適である。
【実施例】
【００７０】
下記配合成分を用いて、表４に示す液体洗浄剤組成物を調製し、以下の項目について評価を行った。結果を表４に示す。
表４の液体洗浄剤組成物は、常法により調製した。即ち、適量のイオン交換水に（ａ）成分、（ｂ）成分（表１〜３に記載の香料組成物）、（ｃ）成分、（ｄ）成分、及び（ｅ）成分を添加し、室温（２５℃）で溶解させた後、水酸化ナトリウム又は／及びクエン酸一水和物を添加して、ｐＨ（３０℃、ガラス電極法）を表４に示す値に調整した。なお、表１〜４中の配合成分の質量％は、全て有効分に基づく数値である。
【００７１】
＜配合成分＞
（ａ）成分
・Turquoise Blue SBL：C.I.Direct Blue８６、山陽色素株式会社製
・Yellow ２０３：C.I.AcidYellow３、保土ヶ谷化学工業株式会社製
・Red ２２７：C.I.DirectRed３３、中央合成化学株式会社製
【００７２】
（ｂ）成分
・香料組成物１：表１〜３に記載の香料組成物１
・香料組成物２：表１〜３に記載の香料組成物２
・香料組成物３：表１〜３に記載の香料組成物３
・香料組成物４：表１〜３に記載の香料組成物４
【００７３】
【表１】
2019182935.tif 000003
【００７４】
【表２】
2019182935.tif 000004
【００７５】
【表３】
2019182935.tif 000005
【００７６】
（ｃ）成分
・ＢＨＴ：２，６−ジ−ｔ−ブチル−４−ヒドロキシトルエン、和光純薬工業株式会社製
・ＢＨＡ：２-ｔ-ブチル−４−ヒドロキシアニソール、SIGMA-ALDRICH社製
・トコフェロール：和光純薬工業株式会社製
（ｄ）成分
・陽イオン界面活性剤：サニゾールＣ、花王（株）製、アルキル（炭素数１２から１６）ジメチルベンジルアンモニウムクロライド、一般式（ｄ２）中、Ｒ３ｄが炭素数１２から１６のアルキル基、Ｒ４ｄ及びＲ５ｄがメチル基、Ｒ６ｄがメチレン基、Ｚ−が塩化物イオンである化合物。
・非イオン界面活性剤：Plantacare 2000UP、ＢＡＳＦ製、アルキルグリコシド、一般式（ｄ１）中、Ｒ１ｄが炭素数８から１６のアルキル基、Ｇがグルコースに由来する残基、ｘが０、ｙが１．３の化合物。
（ｅ）成分
・フェノキシエタノール：日本乳化剤株式会社製
ｐＨ調整剤
・クエン酸：クエン酸一水和物
・ＮａＯＨ：水酸化ナトリウム（４８％）
【００７７】
〔露光による褪色性評価〕
調製した各液体洗浄剤組成物５００ｍＬを、半透明のポリエチレン製容器５００ｍＬ（４５０〜７００ｎｍにおける最小光透過率が５０％の容器）に充填し、フェードメーター（ＸＬ75F、スガ試験機株式会社製）で１０ＭＪ／ｍ２露光した。各液体洗浄剤組成物について、露光後のサンプルと露光前のサンプルのＬａｂ値を測定し、液色の変化率ΔＥを算出した。ΔＥが小さい程、液色の変化が小さく、光による水溶性染料の退色を抑制できていることを示している。結果を表４に示す。
ΔＥは、以下に従って算出した。上記の露光前のサンプルのＬ１ａ１ｂ１値（Ｌ；明度、ａ；赤色度、ｂ；黄色度）と、露光後のサンプルのＬ２ａ２ｂ２値を測定し、以下の式に従い、ΔＥを算出した。なお、Ｌａｂの測定装置には、日本電色工業（株）製のＳｐｅｃｔｒｏ  Ｃｏｌｏｒ  Ｍｅｔｅｒ  ＳＥ２０００を使用した。
ΔＥ＝√｛（Ｌ１−Ｌ２）２＋（ａ１−ａ２）２＋（ｂ１−ｂ２）２｝
【００７８】
【表４】
2019182935.tif 000006